(57)【特許請求の範囲】
【請求項１】
ＦＦＳアレイ基板であって、
ベース基板と、
走査線及び薄膜トランジスタのゲート電極を形成するように、前記ベース基板に設けられる第１金属層と、
前記第１金属層と第２金属層を分離するために、前記第１金属層上に設けられる第１絶縁層と、
データ線、前記薄膜トランジスタのソース電極及び前記薄膜トランジスタのドレイン電極を形成するように、前記第１絶縁層上に設けられる前記第２金属層と、
前記第２金属層と透明電極層を分離するために、前記第２金属層上に設けられる第２絶縁層と、
透明画素電極を形成するように、前記第２絶縁層上に設けられ、前記第２絶縁層の第１貫通孔を通じて前記薄膜トランジスタのドレイン電極に接続される前記透明電極層と、
前記透明電極層と共通電極層を分離するために、前記透明電極層上に設けられる第３絶縁層と、
前記第３絶縁層上に設けられた共通電極線と、前記共通電極線及び前記第３絶縁層上に設けられた透明共通電極とを備える前記共通電極層と、を備え、
前記共通電極線の抵抗率は、前記透明共通電極の抵抗率より小さく、
前記第２金属層は、共通信号を提供するための共通線をさらに備え、前記共通電極線は、前記第３絶縁層、前記透明電極層及び前記第２絶縁層を貫通する第２貫通孔を介して、前記第２金属層上の前記共通線に接続される、
ＦＦＳアレイ基板。
【請求項２】
前記透明共通電極の表面には、スリット構造が設けられる、請求項１に記載のＦＦＳアレイ基板。
【請求項３】
前記ＦＦＳアレイ基板は、複数の表示ドメインを備える、請求項２に記載のＦＦＳアレイ基板。
【請求項４】
各前記表示ドメインの前記透明共通電極の前記スリット構造において、スリットの延伸方向は異なる、請求項３に記載のＦＦＳアレイ基板。
【請求項５】
前記共通電極線は、隣接する前記表示ドメインの境界に設けられる、請求項３または４に記載のＦＦＳアレイ基板。
【請求項６】
ＦＦＳアレイ基板であって、
ベース基板と、
走査線及び薄膜トランジスタのゲート電極を形成するように、前記ベース基板に設けられる第１金属層と、
前記第１金属層と第２金属層を分離し、前記第１金属層と透明電極層を分離するために、前記第１金属層上に設けられる、第１絶縁層と、
データ線、前記薄膜トランジスタのソース電極及び前記薄膜トランジスタのドレイン電極を形成するように、前記第１絶縁層上に設けられる第２金属層と、
透明画素電極を形成するように、前記第１絶縁層上に設けられ、前記薄膜トランジスタのドレイン電極に接続される前記透明電極層と、
前記第２金属層と共通電極層を分離し、及び前記透明電極層と前記共通電極層を分離するために、前記第２金属層及び前記透明電極層上に設けられる第２絶縁層と、
前記第２絶縁層上に設けられた共通電極線と、前記共通電極線及び前記第２絶縁層上に設けられた透明共通電極とを備える前記共通電極層と、を備え、
前記共通電極線の抵抗率は、前記透明共通電極の抵抗率より小さく、
前記第１金属層は、共通信号を提供するための共通線をさらに備え、前記共通電極線は、前記第２絶縁層、前記透明電極層及び前記第１絶縁層を貫通する貫通孔を介して、前記第１金属層上の前記共通線に接続される、
ＦＦＳアレイ基板。
【請求項７】
前記透明共通電極の表面には、スリット構造が設けられる、請求項６に記載のＦＦＳアレイ基板。
【請求項８】
前記ＦＦＳアレイ基板は、複数の表示ドメインを備える、請求項７に記載のＦＦＳアレイ基板。
【請求項９】
各前記表示ドメインの前記透明共通電極の前記スリット構造において、スリットの延伸方向は異なる、請求項８に記載のＦＦＳアレイ基板。
【請求項１０】
前記共通電極線は、隣接する前記表示ドメインの境界に設けられる、請求項８または９に記載のＦＦＳアレイ基板。
【請求項１１】
ＦＦＳアレイ基板の液晶表示装置であって、上基板、ＦＦＳアレイ基板、及び上基板とＦＦＳアレイ基板との間に設けられた液晶層を備え、前記ＦＦＳアレイ基板は、
ベース基板と、
走査線及び薄膜トランジスタのゲート電極を形成するように、前記ベース基板に設けられる第１金属層と、
前記第１金属層と第２金属層を分離するために、前記第１金属層上に設けられる第１絶縁層と、
データ線、前記薄膜トランジスタのソース電極及び前記薄膜トランジスタのドレイン電極を形成するように、前記第１絶縁層上に設けられる前記第２金属層と、
前記第２金属層と透明電極層を分離するために、前記第２金属層上に設けられる第２絶縁層と、
透明画素電極を形成するように、前記第２絶縁層上に設けられ、前記第２絶縁層の第１貫通孔を通じて前記薄膜トランジスタのドレイン電極に接続される前記透明電極層と、
前記透明電極層と共通電極層を分離するために、前記透明電極層上に設けられる第３絶縁層と、
前記第３絶縁層上に設けられた共通電極線と、前記共通電極線及び前記第３絶縁層上に設けられた透明共通電極とを備える前記共通電極層と、を備え、
前記共通電極線の抵抗率は、前記透明共通電極の抵抗率より小さく、
前記第２金属層は、共通信号を提供するための共通線をさらに備え、前記共通電極線は、前記第３絶縁層、前記透明電極層及び前記第２絶縁層を貫通する第２貫通孔を介して、前記第２金属層上の前記共通線に接続される、
ＦＦＳアレイ基板の液晶表示装置。
【請求項１２】
前記透明共通電極の表面には、スリット構造が設けられる、請求項１１に記載のＦＦＳアレイ基板の液晶表示装置。
【請求項１３】
前記ＦＦＳアレイ基板は、複数の表示ドメインを備える、請求項１２に記載のＦＦＳアレイ基板の液晶表示装置。
【請求項１４】
各前記表示ドメインの前記透明共通電極のスリット構造において、スリットの延伸方向は異なる、請求項１３に記載のＦＦＳアレイ基板の液晶表示装置。
【請求項１５】
前記共通電極線は、隣接する前記表示ドメインの境界に設けられる、請求項１３または１４に記載のＦＦＳアレイ基板の液晶表示装置。
【発明の詳細な説明】
【技術分野】
【０００１】
本発明は液晶表示の分野に関し、特にＦＦＳアレイ基板及び液晶表示パネルに関する。
【背景技術】
【０００２】
液晶表示装置は、現在最も広く使用されているフラットパネル表示装置であり、携帯電話、パーソナルデジタルアシスタント（ＰＤＡ）、デジタルカメラ、コンピュータなどの様々な電子装置に高解像度カラースクリーンを提供することができる。ＦＦＳ（Ｆｒｉｎｇｅ  Ｆｉｅｌｄ  Ｓｗｉｔｃｈｉｎｇ、フリンジフィールドスイッチング）液晶表示装置は、その広い視野角や高い開口率などの特徴により、多くのユーザに好まれる。
【０００３】
現在、一般的に用いられるＦＦＳ液晶表示装置は、通常、上基板、下基板、及び上基板と下基板との間に設けられた液晶層を備える。より良い表示モードを実現するために、一般的に、下基板上において、平面状の画素電極と、スリット（ｓｌｉｔ）構造を有する共通電極とが設けられる。
【０００４】
同時に、液晶表示装置の視野角が小さ過ぎる問題を回避するために、各画素はいずれも複数領域のスリット構造を有し、各領域のスリット構造において、スリットの延伸方向は異なることによって、複数の表示ドメインを形成する。異なる表示ドメインの液晶分子の予めねじれた方向が異なることにより、液晶層からの出射光の角度が広がり、液晶表示装置の広視野角化が実現される。
【０００５】
同様に、液晶表示装置の開口率を増加するために、液晶表示装置の下基板上に設けられる共通電極は、一般的に透明電極であるが、透明電極のインピーダンスが大きいため、大電流が共通電極を通過する際に、共通電極の電位は不安定になる。
【０００６】
従って、従来技術における問題を解決するために、ＦＦＳアレイ基板及び液晶表示パネルを提供する必要がある。
【発明の概要】
【発明が解決しようとする課題】
【０００７】
本発明の目的は、既存のＦＦＳアレイ基板及び液晶表示パネルの共通電極の電位が不安定である技術的課題を解決するために、共通電極が安定な電位を有するＦＦＳアレイ基板及び液晶表示パネルを提供することである。
【課題を解決するための手段】
【０００８】
上記課題を解決するために、本発明は以下の技術的手段を提供している。
本発明の実施例はＦＦＳアレイ基板を提供し、このＦＦＳアレイ基板は、
ベース基板と、
走査線及び薄膜トランジスタのゲート電極を形成するように、前記ベース基板に設けられる第１金属層と、
前記第１金属層と第２金属層を分離するために、前記第１金属層上に設けられる第１絶縁層と、
データ線、前記薄膜トランジスタのソース電極及び前記薄膜トランジスタのドレイン電極を形成するように、前記第１絶縁層上に設けられる前記第２金属層と、
前記第２金属層と透明電極層を分離するために、前記第２金属層上に設けられる第２絶縁層と、
透明画素電極を形成するように、前記第２絶縁層上に設けられ、前記第２絶縁層の第１貫通孔を通じて前記薄膜トランジスタのドレイン電極に接続される前記透明電極層と、
前記透明電極層と共通電極層を分離するために、前記透明電極層上に設けられる第３絶縁層と、
前記第３絶縁層上に設けられた共通電極線と、前記共通電極線及び前記第３絶縁層上に設けられた透明共通電極とを備える前記共通電極層と、を備え、ここで、前記共通電極線の抵抗率は、前記透明共通電極の抵抗率より小さい。
【０００９】
本発明によるＦＦＳアレイ基板において、前記透明共通電極の表面には、スリット構造が設けられる。
【００１０】
本発明によるＦＦＳアレイ基板において、前記ＦＦＳアレイ基板は、複数の表示ドメインを備える。
【００１１】
本発明によるＦＦＳアレイ基板において、各前記表示ドメインの前記透明共通電極の前記スリット構造において、スリットの延伸方向は異なる。
【００１２】
本発明によるＦＦＳアレイ基板において、前記共通電極線は、隣接する前記表示ドメインの境界に設けられる。
【００１３】
本発明によるＦＦＳアレイ基板において、前記第２金属層は、共通信号を提供するための共通線をさらに備え、前記共通電極線は、前記第３絶縁層、前記透明電極層及び前記第２絶縁層を貫通する第２貫通孔を介して、前記第２金属層上の前記共通線に接続される。
【００１４】
さらに、本発明の実施例はＦＦＳアレイ基板を提供し、このＦＦＳアレイ基板は、
ベース基板と、
走査線及び薄膜トランジスタのゲート電極を形成するように、前記ベース基板に設けられる第１金属層と、
前記第１金属層と第２金属層を分離し、前記第１金属層と透明電極層を分離するために、前記第１金属層上に設けられる、第１絶縁層と、
データ線、前記薄膜トランジスタのソース電極及び前記薄膜トランジスタのドレイン電極を形成するように、前記第１絶縁層上に設けられる第２金属層と、
透明画素電極を形成するように、前記第１絶縁層上に設けられ、前記薄膜トランジスタのドレイン電極に接続される前記透明電極層と、
前記第２金属層と共通電極層を分離し、及び前記透明電極層と前記共通電極層を分離するために、前記第２金属層及び前記透明電極層上に設けられる第２絶縁層と、
前記第２絶縁層上に設けられた共通電極線と、前記共通電極線及び前記第２絶縁層上に設けられた透明共通電極とを備える前記共通電極層と、を備え、ここで、前記共通電極線の抵抗率は、前記透明共通電極の抵抗率より小さい。
【００１５】
本発明によるＦＦＳアレイ基板において、前記透明共通電極の表面には、スリット構造が設けられる。
【００１６】
本発明によるＦＦＳアレイ基板において、前記ＦＦＳアレイ基板は、複数の表示ドメインを備える。
【００１７】
本発明によるＦＦＳアレイ基板において、各前記表示ドメインの前記透明共通電極の前記スリット構造において、スリットの延伸方向は異なる。
【００１８】
本発明によるＦＦＳアレイ基板において、前記共通電極線は、隣接する前記表示ドメインの境界に設けられる。
【００１９】
本発明によるＦＦＳアレイ基板において、前記第１金属層は、共通信号を提供するための共通線をさらに備え、前記共通電極線は、前記第２絶縁層、前記透明電極層及び前記第１絶縁層を貫通する貫通孔を介して、前記第１金属層上の前記共通線に接続される。
【００２０】
さらに、本発明の実施例は、ＦＦＳアレイ基板の液晶表示装置を提供する。このＦＦＳアレイ基板の液晶表示装置は、上基板、ＦＦＳアレイ基板、及び上基板とＦＦＳアレイ基板との間に設けられた液晶層を備え、前記ＦＦＳアレイ基板は、
ベース基板と、
走査線及び薄膜トランジスタのゲート電極を形成するように、前記ベース基板に設けられる第１金属層と、
前記第１金属層と第２金属層を分離するために、前記第１金属層上に設けられる第１絶縁層と、
データ線、前記薄膜トランジスタのソース電極及び前記薄膜トランジスタのドレイン電極を形成するように、前記第１絶縁層上に設けられる前記第２金属層と、
前記第２金属層と透明電極層を分離するために、前記第２金属層上に設けられる第２絶縁層と、
透明画素電極を形成するように、前記第２絶縁層上に設けられ、前記第２絶縁層の第１貫通孔を通じて前記薄膜トランジスタのドレイン電極に接続される前記透明電極層と、
前記透明電極層と共通電極層を分離するために、前記透明電極層上に設けられる第３絶縁層と、
前記第３絶縁層上に設けられた共通電極線と、前記共通電極線及び前記第３絶縁層上に設けられた透明共通電極とを備える前記共通電極層と、を備え、ここで、前記共通電極線の抵抗率は、前記透明共通電極の抵抗率より小さい。
【００２１】
本発明によるＦＦＳアレイ基板の液晶表示装置において、前記透明共通電極の表面には、スリット構造が設けられる。
【００２２】
本発明によるＦＦＳアレイ基板の液晶表示装置において、前記ＦＦＳアレイ基板は、複数の表示ドメインを備える。
【００２３】
本発明によるＦＦＳアレイ基板の液晶表示装置において、各前記表示ドメインの前記透明共通電極の前記スリット構造において、スリットの延伸方向は異なる。
【００２４】
本発明によるＦＦＳアレイ基板の液晶表示装置において、前記共通電極線は、隣接する前記表示ドメインの境界に設けられる。
【００２５】
本発明によるＦＦＳアレイ基板の液晶表示装置において、前記第２金属層は、共通信号を提供するための共通線をさらに備え、前記共通電極線は、前記第３絶縁層、前記透明電極層及び前記第２絶縁層を貫通する第２貫通孔を介して、前記第２金属層上の前記共通線に接続される。
【発明の効果】
【００２６】
既存のＦＦＳアレイ基板及び液晶表示装置と比較して、本発明のＦＦＳアレイ基板及び液晶表示装置は、共通電極線と透明共通電極を有する共通電極層を設けることによって、共通電極の電位の安定性を保障し、対応する液晶表示装置の表示効果を向上させ、既存のＦＦＳアレイ基板及び液晶表示パネルの共通電極の電位が不安定である技術的課題を解決する。
【００２７】
本発明の上記内容を更に分かり易くするために、以下において実施例を挙げ、図面と併せて詳細に説明する。
【図面の簡単な説明】
【００２８】
【図１Ａ】図１Ａは、本発明に係るＦＦＳアレイ基板の第１好ましい実施例の平面構造模式図である。
【図１Ｂ】図１Ｂは、図１ＡのＡ−Ａ’断面線の断面構造模式図である。
【図２Ａ】図２Ａは、本発明に係るＦＦＳアレイ基板の第２好ましい実施例の平面構造模式図である。
【図２Ｂ】図２Ｂは、図２ＡのＢ−Ｂ’断面線の断面構造模式図である。
【図３Ａ】図３Ａは、本発明に係るＦＦＳアレイ基板の第３好ましい実施例の平面構造模式図である。
【図３Ｂ】図３Ｂは、図３ＡのＣ−Ｃ’断面線の断面構造模式図である。
【図４Ａ】図４Ａは、本発明に係るＦＦＳアレイ基板の第４好ましい実施例の平面構造模式図である。
【図４Ｂ】図４Ｂは、図４ＡのＤ−Ｄ’断面線の断面構造模式図である。
【図５】図５は、本発明に係るＦＦＳアレイ基板の第５好ましい実施例の平面構造模式図である。
【図６】図６は、本発明に係るＦＦＳアレイ基板の第６好ましい実施例の平面構造模式図である。
【発明を実施するための形態】
【００２９】
下記では、各実施例と図面を用いて、例を上げる方法で本発明の実施可能な実施例を説明する。本発明に開示されている方向の用語、例えば、「上」、「下」、「前」、「後」、「左」、「右」、「内」、「外」、「側面」等は、本発明の図面での方向を参照するためのものである。そのため、本明細書で使用される方向の用語は、本発明を説明、理解させるためのものであり、本発明を制限するものではない。
【００３０】
図面で、構造の類似するユニットは同じ符号を用いて表示する。
【００３１】
図１Ａと図１Ｂを参照する。図１Ａは、本発明に係るＦＦＳアレイ基板の第１好ましい実施例の平面構造模式図である。図１Ｂは、図１ＡのＡ−Ａ’断面線の断面構造模式図である。本好ましい実施例のＦＦＳアレイ基板１０は、ベース基板１１、第１金属層、第１絶縁層１３、第２金属層、第２絶縁層１５、透明電極層、第３絶縁層１７及び共通電極層を備える。
【００３２】
第１金属層は、走査線１２１及び薄膜トランジスタのゲート電極１２２を形成するように、ベース基板１１に設けられる。第１絶縁層１３は、第１金属層と第２金属層を分離するために、第１金属層上に設けられる。第２金属層は、データ線１４１、薄膜トランジスタのソース電極１４２及び薄膜トランジスタのドレイン電極１４３を形成するように、第１絶縁層１３上に設けられる。第２絶縁層１５は、第２金属層と透明電極層を分離するために、第２金属層上に設けられる。透明電極層は、透明画素電極１６１を形成するように、第２絶縁層１５上に設けられる。透明画素電極１６１は、第２絶縁層１５の第１貫通孔１５１を通じて薄膜トランジスタのドレイン電極１４３に接続される。第３絶縁層１７は、透明電極層と共通電極層を分離するために、透明電極層上に設けられる。共通電極層は、第３絶縁層１７上に設けられた共通電極線１８１と、共通電極線１８１及び第３絶縁層１７上に設けられた透明共通電極１８２とを備える。ここで、共通電極線１８１の抵抗率は、透明共通電極１８２の抵抗率より小さい。また、該ＦＦＳアレイ基板１０は、薄膜トランジスタのチャンネル１９１を形成するための半導体層をさらに備える。  
本好ましい実施例のＦＦＳアレイ基板１０は、複数の表示ドメインを備え、ＦＦＳアレイ基板１０の透明共通電極１８２の表面にはスリット構造１８３が設けられる。ＦＦＳアレイ基板１０の各表示ドメインの透明共通電極１８２のスリット構造１８３において、スリットの延伸方向は異なる。共通電極線１８１は、隣接する表示ドメインの境界に設けられる。
【００３３】
本好ましい実施例のＦＦＳアレイ基板１０が使用されるときに、透明電極層上の透明画素電極１６１は、第１貫通孔１５１、薄膜トランジスタのドレイン電極１４３及び薄膜トランジスタのソース電極１４２により、データ線１４１におけるデータ信号を受信する。共通電極層上の透明共通電極１８２は、共通電極線１８１により共通信号を受信する。液晶表示装置の液晶層における液晶分子は、データ信号及び共通信号の作用下でねじれることによって、液晶表示装置には、対応する画面内容が表示される。
【００３４】
共通電極線１８１は抵抗率が低い金属線であるので、共通電極全体のインピーダンスをよりよく低減し、共通電極の電位をさらに安定させかつさらに均一にさせることができる。
【００３５】
同時に、隣接する表示ドメインの境界部分は弱表示領域、つまり、表示効果が悪い領域であるため、隣接する表示ドメインの境界に不透光性共通電極線１８１を設けることによって、共通電極線１８１が液晶表示装置の開口率に大きい影響を及ぼすのを回避することができる。これにより、液晶表示装置の開口率への影響がより小さい場合には、共通電極のインピーダンスを低減する。
【００３６】
また、該共通電極線１８１は、液晶表示装置の各画素を貫通する。該液晶表示装置の表面にタッチ制御素子が設けられた場合には、該共通電極線は、タッチ制御信号を伝送するために用いることもできる。
【００３７】
したがって、本好ましい実施例のＦＦＳアレイ基板は、共通電極線と透明共通電極を有する共通電極層を設けることによって、共通電極の電位の安定性を保障し、対応する液晶表示装置の表示効果を向上させる。
【００３８】
図２Ａと図２Ｂを参照する。図２Ａは、本発明に係るＦＦＳアレイ基板の第２好ましい実施例の平面構造模式図である。図２Ｂは、図２ＡのＢ−Ｂ’断面線の断面構造模式図である。本好ましい実施例のＦＦＳアレイ基板２０は、ベース基板２１、第１金属層、第１絶縁層２３、第２金属層、第２絶縁層２５、透明電極層、第３絶縁層２７及び共通電極層を備える。
【００３９】
第１金属層は、走査線２２１及び薄膜トランジスタのゲート電極２２２を形成するように、ベース基板２１に設けられる。第１絶縁層２３は、第１金属層と第２金属層を分離するために、第１金属層上に設けられる。第２金属層は、データ線２４１、薄膜トランジスタのソース電極２４２及び薄膜トランジスタのドレイン電極２４３を形成するように、第１絶縁層２３上に設けられる。第２絶縁層２５は、第２金属層と透明電極層を分離するために、第２金属層上に設けられる。透明電極層は、透明画素電極２６１を形成するように、第２絶縁層２５上に設けられる。透明画素電極２６１は、第２絶縁層２５の第１貫通孔２５１を通じて薄膜トランジスタのドレイン電極２４３に接続される。第３絶縁層２７は、透明電極層と共通電極層を分離するために、透明電極層上に設けられる。共通電極層は、第３絶縁層２７上に設けられた共通電極線２８１と、共通電極線２８１及び第３絶縁層２７上に設けられた透明共通電極２８２とを備える。ここで、共通電極線２８１の抵抗率は、透明共通電極２８２の抵抗率より小さい。また、該ＦＦＳアレイ基板２０は、薄膜トランジスタのチャンネル２９１を形成するための半導体層をさらに備える。  
本好ましい実施例のＦＦＳアレイ基板２０は、複数の表示ドメインを備え、ＦＦＳアレイ基板２０の透明共通電極２８２の表面にはスリット構造２８３が設けられる。ＦＦＳアレイ基板２０の各表示ドメインの透明共通電極２８２のスリット構造２８３において、スリットの延伸方向は異なる。共通電極線２８１は、隣接する表示ドメインの境界に設けられる。
【００４０】
第１好ましい実施例に基づいて、本好ましい実施例のＦＦＳアレイ基板２０の第２金属層上には、共通信号を提供するための共通線２４４がさらに設けられる。共通電極層は、第３絶縁層２７、透明電極層及び第２絶縁層２５を貫通する第２貫通孔２５２を介して、第２金属層上の共通線２４４に接続される。当然のことながら、該共通線２４４は第１金属層上に設けられてもよい。
【００４１】
本好ましい実施例のＦＦＳアレイ基板２０が使用されるときに、透明電極層上の透明画素電極２６１は、第１貫通孔２５１、薄膜トランジスタのドレイン電極２４３及び薄膜トランジスタのソース電極２４２により、データ線２４１におけるデータ信号を受信する。共通電極層上の透明共通電極２８２は、共通電極層上の共通電極線２８１、第２貫通孔２５２及び第２金属層上の共通線２４４により、共通信号を受信する。液晶表示装置の液晶層における液晶分子は、データ信号及び共通信号の作用下でねじれることによって、液晶表示装置には、対応する画面内容が表示される。
【００４２】
本好ましい実施例のＦＦＳアレイ基板は、第２金属層上の共通線により共通信号を伝送し、共通電極層上の共通電極線は液晶表示装置全体を貫通する必要がないため、共通電極線の設置が液晶表示装置の開口率に与える影響はより小さくなる。
【００４３】
図３Ａと図３Ｂを参照する。図３Ａは、本発明に係るＦＦＳアレイ基板の第３好ましい実施例の平面構造模式図である。図３Ｂは、図３ＡのＣ−Ｃ’断面線の断面構造模式図である。本好ましい実施例のＦＦＳアレイ基板３０は、ベース基板３１、第１金属層、第１絶縁層３３、第２金属層、透明電極層、第２絶縁層３６及び共通電極層を備える。
【００４４】
第１金属層は、走査線３２１及び薄膜トランジスタのゲート電極３２２を形成するように、ベース基板３１に設けられる。第１絶縁層３３は、第１金属層と第２金属層を分離し、第１金属層と透明電極層を分離するために、第１金属層上に設けられる。第２金属層は、データ線３４１、薄膜トランジスタのソース電極３４２及び薄膜トランジスタのドレイン電極３４３を形成するように、第１絶縁層３３上に設けられる。透明電極層は、透明画素電極３５１を形成するように、第１絶縁層３３上に設けられる。透明画素電極３５１は、第２金属層上の薄膜トランジスタのドレイン電極３４３に接続される。第２絶縁層３６は、透明電極層と共通電極層を分離し、第２金属層と共通電極層を分離するために、第２金属層及び透明電極層上に設けられる。共通電極層は、第２絶縁層３６上に設けられた共通電極線３７１と、共通電極線３７１及び第２絶縁層３６上に設けられた透明共通電極３７２とを備える。ここで、共通電極線３７１の抵抗率は、透明共通電極３７２の抵抗率より小さい。また、該ＦＦＳアレイ基板３０は、薄膜トランジスタのチャンネル３８１を形成するための半導体層をさらに備える。  
本好ましい実施例のＦＦＳアレイ基板３０は、複数の表示ドメインを備え、ＦＦＳアレイ基板３０の透明共通電極３７２の表面にはスリット構造３７３が設けられる。ＦＦＳアレイ基板３０の各表示ドメインの透明共通電極３７２のスリット構造３７３において、スリットの延伸方向は異なる。共通電極線３７１は、隣接する表示ドメインの境界に設けられる。
【００４５】
本好ましい実施例のＦＦＳアレイ基板３０が使用されるときに、透明電極層上の透明画素電極３５１は、薄膜トランジスタのドレイン電極３４３及び薄膜トランジスタのソース電極３４２により、データ線３４１におけるデータ信号を受信する。共通電極層上の透明共通電極３７２は、共通電極線３７１により共通信号を受信する。液晶表示装置の液晶層における液晶分子は、データ信号及び共通信号の作用下でねじれることによって、液晶表示装置には、対応する画面内容が表示される。
【００４６】
共通電極線３７１は抵抗率が低い金属線であるので、共通電極全体のインピーダンスをよりよく低減し、共通電極の電位をさらに安定させかつさらに均一にさせることができる。
【００４７】
同時に、隣接する表示ドメインの境界部分は弱表示領域、つまり、表示効果が悪い領域であるため、隣接する表示ドメインの境界に不透光性共通電極線３７１を設けることによって、共通電極線３７１が液晶表示装置の開口率に大きい影響を及ぼすのを回避することができる。これにより、液晶表示装置の開口率への影響がより小さい場合には、共通電極のインピーダンスを低減する。
【００４８】
また、該共通電極線３７１は、液晶表示装置の各画素を貫通する。該液晶表示装置の表面にタッチ制御素子が設けられた場合には、該共通電極線は、タッチ制御信号を伝送するために用いることもできる。
【００４９】
したがって、本好ましい実施例のＦＦＳアレイ基板は、同様に、共通電極線と透明共通電極を有する共通電極層を設けることによって、共通電極の電位の安定性を保障し、対応する液晶表示装置の表示効果を向上させる。
【００５０】
図４Ａと図４Ｂを参照する。図４Ａは、本発明に係るＦＦＳアレイ基板の第４好ましい実施例の平面構造模式図である。図４Ｂは、図４ＡのＤ−Ｄ’断面線の断面構造模式図である。本好ましい実施例のＦＦＳアレイ基板４０は、ベース基板４１、第１金属層、第１絶縁層４３、第２金属層、透明電極層、第２絶縁層４６及び共通電極層を備える。
【００５１】
第１金属層は、走査線４２１及び薄膜トランジスタのゲート電極４２２を形成するように、ベース基板４１に設けられる。第１絶縁層４３は、第１金属層と第２金属層を分離し、第１金属層と透明電極層を分離するために、第１金属層上に設けられる。第２金属層は、データ線４４１、薄膜トランジスタのソース電極４４２及び薄膜トランジスタのドレイン電極４４３を形成するように、第１絶縁層４３上に設けられる。透明電極層は、透明画素電極４５１を形成するように、第１絶縁層４３上に設けられる。透明画素電極４５１は、第２金属層上の薄膜トランジスタのドレイン電極４４３に接続される。第２絶縁層４６は、透明電極層と共通電極層を分離し、第２金属層と共通電極層を分離するために、第２金属層及び透明電極層上に設けられる。共通電極層は、第２絶縁層４６上に設けられた共通電極線４７１と、共通電極線４７１及び第２絶縁層４６上に設けられた透明共通電極４７２とを備える。ここで、共通電極線４７１の抵抗率は、透明共通電極４７２の抵抗率より小さい。また、該ＦＦＳアレイ基板４０は、薄膜トランジスタのチャンネル４８１を形成するための半導体層をさらに備える。
【００５２】
本好ましい実施例のＦＦＳアレイ基板４０は、複数の表示ドメインを備え、ＦＦＳアレイ基板４０の透明共通電極４７２の表面にはスリット構造４７３が設けられる。ＦＦＳアレイ基板４０の各表示ドメインの透明共通電極４７２のスリット構造４７３において、スリットの延伸方向は異なる。共通電極線は、隣接する表示ドメインの境界に設けられる。
【００５３】
第３好ましい実施例に基づいて、本好ましい実施例のＦＦＳアレイ基板４０の第１金属層上には、共通信号を提供するための共通線４２３がさらに設けられる。共通電極層は、第２絶縁層４６、透明電極層及び第１絶縁層４３を貫通する貫通孔４６１を介して、第１金属層上の共通線４２３に接続される。
【００５４】
本好ましい実施例のＦＦＳアレイ基板４０が使用されるときに、透明電極層上の透明画素電極４５１は、薄膜トランジスタのドレイン電極４４３及び薄膜トランジスタのソース電極４４２により、データ線４４１におけるデータ信号を受信する。共通電極層上の透明共通電極４７２は、共通電極線４７１、貫通孔４６１及び第１金属層上の共通線４２３により、共通信号を受信する。液晶表示装置の液晶層における液晶分子は、データ信号及び共通信号の作用下でねじれることによって、液晶表示装置には、対応する画面内容が表示される。
【００５５】
本好ましい実施例のＦＦＳアレイ基板は、第１金属層上の共通線により共通信号を伝送し、共通電極層上の共通電極線は液晶表示装置全体を貫通する必要がないため、共通電極線の設置が液晶表示装置の開口率に与える影響はより小さくなる。
【００５６】
本発明のＦＦＳアレイ基板は複数の表示ドメインを備える。表示ドメインの区画方法は、顧客の需要及び実際の状況に応じて定めることができる。図５を参照する。図５は、本発明に係るＦＦＳアレイ基板の第５好ましい実施例の平面構造模式図である。本好ましい実施例のＦＦＳアレイ基板５０における各画素は、左右両表示ドメインを有するため、共通電極線５１は、各画素の上から下までの中心線に設けられる。図６を参照する。図６は、本発明に係るＦＦＳアレイ基板の第６好ましい実施例の平面構造模式図である。本好ましい実施例のＦＦＳアレイ基板６０における各画素は、上下両表示ドメインを有するため、共通電極線６１は、各画素の左から右までの中心線に設けられる。
【００５７】
当然のことながら、異なる表示ドメインの区画方法によって、共通電極線の設置方法は異なるが、共通電極線を隣接する表示ドメインの境界に設置すれば、共通電極のインピーダンスをよりよく低減しかつ液晶表示装置の開口率を向上させる効果を達成することができる。
【００５８】
本発明は液晶表示パネルをさらに提供する。該液晶表示パネルは、上基板、ＦＦＳアレイ基板、及び上基板とＦＦＳアレイ基板との間に設けられた液晶層を備える。該ＦＦＳアレイ基板の具体的な構造及び具体的な動作原理は、上記のＦＦＳアレイ基板の好ましい実施例の関連する説明と同じ又は類似である。具体的に、上記のＦＦＳアレイ基板の好ましい実施例の関連する説明を参照する。
【００５９】
本発明のＦＦＳアレイ基板及び液晶表示装置は、共通電極線と透明共通電極を有する共通電極層を設けることによって、共通電極の電位の安定性を保障し、対応する液晶表示装置の表示効果を向上させ、既存のＦＦＳアレイ基板及び液晶表示パネルの共通電極の電位が不安定である技術的課題を解決する。
【００６０】
以上により、本発明では好適な実施例を前述の通り開示したが、上述の好適な実施例は本発明を限定するものでなく、当業者であれば、本発明の精神と範囲から逸脱しない限り、多様の変更や修正を加えることができる。従って、本発明の保護範囲は、特許請求の範囲で指定された範囲を基準とする。
【図１Ａ】
0006434651.tif 000002
【図１Ｂ】
0006434651.tif 000003
【図２Ａ】
0006434651.tif 000004
【図２Ｂ】
0006434651.tif 000005
【図３Ａ】
0006434651.tif 000006
【図３Ｂ】
0006434651.tif 000007
【図４Ａ】
0006434651.tif 000008
【図４Ｂ】
0006434651.tif 000009
【図５】
0006434651.tif 000010
【図６】
0006434651.tif 000011